(57)【要約】　　　（修正有）【課題】便器の流れる水で、便器を洗浄する事ができる様にすること。【解決手段】洗浄ポンプは、便器のタンク部分をシリンダー１１にして、そのシリンダーにソレイド２２を設置する。シリンダーとソレイドを結ぶ間にロットＡ４及びロットＢ６を設け、各々に支点Ａ５ないしＢ７を設ける事により、全体的な動作バランスを良くすることができる。便器に洗浄ポンプを設置する事により、流水が便器を洗浄し、そのまま汚物を流すことができる。【選択図】　図１
0003099338.tif 000002
【実用新案登録請求の範囲】
【請求項１】
便器のタンク部分にシリンダー（１１）を設け、そのシリンダー（１１）にソレノイド（２２）を設置した洗浄ポンプ。
【考案の詳細な説明】
【０００１】
【考案の属する技術分野】
本考案は、便器用洗浄ポンプに関する。
【０００２】
【従来の技術】
従来、便器の水を流す場合、流れる水は便器を洗浄はしていなかった。
【０００３】
【考案が解決しようとする課題】
従来の便器は、水が便器の内側上部より器に沿って流れ出、多少の汚れを流水の勢いで落とす事はできても、常時洗浄をする事はできない、という問題点があった。
【０００４】
【課題を解決するための手段】
本考案は、便器に洗浄ポンプを設置する事により、流水が便器を洗浄し、そのまま汚物を流すことができる様な手段を設けることとしている。
【０００５】
【考案の実施の形態】
本考案の洗浄ポンプでは、便器のタンク部分をシリンダーにして、そのシリンダーにソレノイドを設置する。
【０００６】
上記、シリンダーとソレノイドを設置する手段では、シリンダーとソレノイドを結ぶ間にロットＡ及びロットＢを設け、各々に支点Ａないし支点Ｂを設ける事により、全体的な動作バランスを良くすることができる。
【０００７】
【実施例】
実施例について、図面を参照して説明すると、図１において、ソレノイド（２２）の内部は可動芯（１）と固定芯（２）に分かれ、固定芯（２）の内部にはコイル（３）が内蔵されている。
【０００８】
ソレノイド（２２）とシリンダー（１１）をつなぐために、ソレノイド（２２）内部の可動芯（１）の端に支点Ａ（５）を設けたロットＡ（４）と支点Ｂ（７）を設けたロットＢ（６）を設ける。
【０００９】
図１及び図４において、ロットＡ（４）は動作管（１８）を介して、供給水管（１４）と接続され、ロットＢ（６）はスプリング軸棒（８）に接続する。
【００１０】
便器のタンク部分にあたるシリンダー（１１）上部に給水口（２０）を設け、シリンダー（１１）と、給水口（２０）の間に、給水口弁（１３）を設ける。
【００１１】
図１において、先端にスプリング軸受穴（１０）を設けたピストン（１２）をシリンダー（１１）の内部に設け、スプリング（９）を巻いたスプリング軸棒（８）の先端をスプリング軸受穴（１０）に接続し、スプリング軸棒（８）のもう他方先端を、上記の様に、ロットＢ（６）と接続する。
【００１２】
図５、図６において、シリンダー（１１）のもう他方の端にあたるシリンダー出口（２４）には、シリンダー出口（２４）と同じ太さの供給水管（１４）を設置し、供給水管（１４）の端にはパッキング（２３）を設置する。
【００１３】
シリンダー（１１）と供給水管（１４）の接続部分は蛇腹管１（１６）で覆う。
【００１４】
供給水管（１４）の端には、供給水穴（１５）を設ける。
【００１５】
図７、図８において、供給水管（１４）とノズル（１９）の接続部分に蛇腹管２（１７）を設置する。
【００１６】
【考案の効果】
本考案は、以上説明した様な形態で実施され、以下に記載される様な効果を奏する。
【００１７】
電源を入れると、可動芯が移動する事によりロットＡは支点Ａを介して、供給水管を移動させる。
【００１８】
同時にロットＢは支点Ｂを介してスプリングを押し縮めながらスプリング軸受棒をスプリング軸受穴へと移動させる。
【００１９】
押し縮められたスプリングは伸びようとしてピストンを押し入れるため、シリンダー内にある水圧が大きくなり、シリンダー出口へと水が流れ、その圧力のため供給水管は上記した様にロットＡによる移動を更に助け、シリンダー出口と供給水管は勢いよく離れる。
【００２０】
上記、シリンダー出口と供給水管が離れる事により、パッキングを介してふさがれていたシリンダー出口は開放状態となり、シリンダー内の水がシリンダー出口より流れ出てくる。
【００２１】
流れ出た水は蛇腹管１内に充満すると同時に、空いている供給水穴を通って供給水管内へと入ってゆく。
【００２２】
シリンダーと給水口の間に給水口弁を設置する事で、シリンダー内の水圧が大きくなっている状態においては逆流を防ぐ事ができる。
【００２３】
図７において、供給水管とノズルの接続点は電源が入る前は遊びとして距離があるが、図８において電源が入り、ソレノイドが移動し、シリンダー内部の圧力が大きくなり、供給水管が移動する事により供給水管とノズルは密着し、供給水管内を流れる水はノズルを通してスムーズに出ていく事ができる。
【００２４】
電源を入れるとタイマーが設置してある事により、ソレノイドに通電している間シリンダーを押す事ができ、また、その時間設定は必要に応じて変えることができる。
【００２５】
タイマーの設置により当然にタイマーの設定時間完了後電源が切れると、シリンダー内のピストンは元の位置に戻り、水圧も小さくなっていくため、給水口弁は開き、給水する事ができる。
【００２６】
また、給水口より洗浄剤を混入させる事で洗浄性能を上げる事もできる。
【００２７】
便器に限らず、洗面ボウルや、流し台シンクにも利用する事ができる。
【００２８】
【図面の簡単な説明】
【図１】電源が入る前の状態を示す断面図
【図２】電源が入りソレノイドが動作した状態を示す断面図
【図３】スプリングが伸びてピストンを押した状態を示す断面図
【図４】斜視図
【図５】蛇腹管１の内部におけるピストン動作前の状態を示す拡大断面図
【図６】蛇腹管１の内部におけるピストン動作後の状態を示す拡大断面図
【図７】蛇腹管２の内部におけるピストン動作前の状態を示す拡大断面図
【図８】蛇腹管２の内部におけるピストン動作後の状態を示す拡大断面図
【符号の説明】
１．可動芯
２．固定芯
３．コイル
４．ロットＡ
５．支点Ａ
６．ロットＢ
７．支点Ｂ
８．スプリング軸棒
９．スプリング
１０．スプリング軸受穴
１１．シリンダー
１２．ピストン
１３．給水口弁
１４．供給水管
１５．供給水穴
１６．蛇腹管１
１７．蛇腹管２
１８．動作管
１９．ノズル
２０．給水口
２１．スプリングケース
２２．ソレノイド
２３．パッキング
２４．シリンダー出口
【図１】
0003099338.tif 000003
【図２】
0003099338.tif 000004
【図３】
0003099338.tif 000005
【図４】
0003099338.tif 000006
【図５】
0003099338.tif 000007
【図６】
0003099338.tif 000008
【図７】
0003099338.tif 000009
【図８】
0003099338.tif 000010
【手続補正書】
【提出日】平成15年7月14日(2003.7.14)
【手続補正１】
【補正対象書類名】明細書
【補正対象項目名】実用新案登録請求の範囲
【補正方法】変更
【補正の内容】
【実用新案登録請求の範囲】
【請求項１】
便器のタンク部分をシリンダー（１１）にして、そのシリンダー（１１）に、ソレノイド（２２）を設置した洗浄ポンプ。